(57)【要約】【解決手段】太陽光発電システムは、太陽電池によって生成された直流を交流に変換する、太陽電池及び太陽光発電インバータ（１１０）を含む。太陽光発電システムと電力グリッドとの相互接続点（ＰＯＩ）（２０４）におけるグリッド電圧が、測定され、かつ設定点と比較される。測定グリッド電圧に基づいて、制御信号が発生する。制御信号は、太陽光発電インバータ（１１０）に提供される。過渡的なグリッド電圧変化に応答して、太陽光発電インバータ（１１０）に無効電力を発生又は吸収させるように、制御信号が調節される。【選択図】図４
2014517663.tif 000002
【特許請求の範囲】
【請求項１】
太陽光発電システムにより生成された電圧を自動的に調節する方法であって、
前記太陽光発電システムにより供給された電圧を電力グリッドとの相互接続点（ＰＯＩ）において測定し、測定グリッド電圧を生成する工程と、
前記測定グリッド電圧を、前記ＰＯＩに関する設定点電圧を示す基準電圧と比較する工程と、
前記測定グリッド電圧と前記基準電圧との前記比較に基づいてインバータ基準電圧を生成する工程と、
前記電力グリッドへ供給するために、太陽電池により生成された交流を直流に変換する太陽光発電インバータの位置において前記インバータ基準電圧を前記太陽光発電インバータに提示する工程と、
前記測定グリッド電圧の過渡的変化に応答して前記インバータ基準電圧を調節する工程と備える方法。
【請求項２】
前記インバータ基準電圧が、制御スキームに従って、補償器により生成される、請求項１に記載の方法。
【請求項３】
前記制御スキームが比例−積分補償器を含む、請求項２に記載の方法。
【請求項４】
前記インバータ基準電圧の変化率を制限する工程を更に備える、請求項１から３のいずれか一項に記載の方法。
【請求項５】
前記太陽光発電インバータにより生成された無効電力と、前記太陽光発電システム内の他の太陽光発電インバータにより生成された無効電力との比較に基づいて、前記インバータ基準電圧を制限する工程を更に備える、請求項１から４のいずれか一項に記載の方法。
【請求項６】
前記太陽電池が、太陽電池パネル内に搭載された裏面コンタクト型太陽電池を備える、請求項１から５のいずれか一項に記載の方法。
【請求項７】
前記インバータ基準電圧が、データ通信ネットワークを通じて送信されるレジスタにより、前記太陽光発電インバータに提供される、請求項１から６のいずれか一項に記載の方法。
【請求項８】
前記グリッド電圧が閾値電圧よりも高いことを前記測定グリッド電圧が示す場合、前記インバータ基準電圧を調節し、前記太陽光発電インバータに無効電力を吸収させる、請求項１から７のいずれか一項に記載の方法。
【請求項９】
前記グリッド電圧が閾値電圧よりも低いことを前記測定グリッド電圧が示す場合、前記インバータ基準電圧を調節し、前記太陽光発電インバータに無効電力を生成させる、請求項１から７のいずれか一項に記載の方法。
【請求項１０】
請求項１から９のいずれか一項に記載の方法を実施するシステム。
【発明の詳細な説明】
【技術分野】
【０００１】
本明細書に記載する主題の実施形態は、概して太陽光発電システムに関する。より具体的には、主題の実施形態は、太陽光発電システムのための自動電圧調整に関する。
【背景技術】
【０００２】
太陽光発電システムは、太陽光輻射から電気を生成する。太陽光発電システムは、太陽電池パネルのアレイからなってもよく、それぞれの太陽電池パネルは、相互接続された太陽電池を備える。太陽電池には、Ｐ型及びＮ型拡散領域が含まれる。太陽電池に太陽光が輻射すると電子及び正孔が生成され、これらの電子及び正孔が拡散領域に移動することにより、拡散領域間に電位差が生じる。裏面コンタクト型太陽電池においては、拡散領域及びこれらの拡散領域に結合した金属コンタクトフィンガーが、共に太陽電池の裏面にある。このコンタクトフィンガーによって、外部電気回路は太陽電池に結合され、太陽電池から電力供給されることが可能となる。
【０００３】
太陽光発電インバータは、太陽電池により生成された直流を、相互接続点（ＰＯＩ）において、電力グリッドに結合するのに適した交流に変換する。ＰＯＩにおけるグリッド電圧は、必要条件に適合する特定の値の範囲内に調整される。本発明の実施形態は、太陽光発電システムによって電力グリッドに供給される電圧を自動的に調整する方法及びシステムに関する。
【発明の概要】
【課題を解決するための手段】
【０００４】
一実施形態では、太陽光発電システムにより生成された電圧を自動的に調整する方法は、太陽光発電システムにより供給された電圧を電力グリッドとの相互接続点（ＰＯＩ）で測定することを含む。測定グリッド電圧は、設定点電圧と比較される。インバータ基準電圧は、測定グリッド電圧の設定点電圧との比較に基づいて生成される。インバータ基準電圧は、太陽光発電インバータの位置において太陽光発電インバータに提示される。インバータ基準電圧は、急速に変化するグリッド電圧に応答して調節される。
【０００５】
別の実施形態では、太陽光発電システムは、複数の太陽電池、複数の太陽光発電インバータ、及びプラント制御装置を備える。プラント制御装置は、太陽光発電システムの電力グリッドとの相互接続点（ＰＯＩ）において測定された測定電圧に基づいてインバータ基準電圧を調節し、かつインバータ基準電圧を複数の太陽光発電インバータの内の１つの太陽光発電インバータに提供することにより、１つの太陽光発電インバータの無効電力出力を調節し、ＰＯＩにおいて変化するグリッド電圧に応答する。
【０００６】
別の実施形態では、太陽光発電システムにより生成された電圧を自動的に調整する方法は、太陽光発電システムにより電力グリッドに提供された電圧を測定することを含む。太陽光発電インバータの動作を制御するための制御信号は、測定電圧に基づいて生成される。制御信号は、測定電圧の変化に応答して太陽光発電インバータの無効電力出力を調節するように調節される。
【０００７】
本発明のこれら及びその他の特徴は、添付の図面及び特許請求の範囲を含む本開示の全体を読むことにより、当業者には容易に理解されよう。
【図面の簡単な説明】
【０００８】
より完全な主題の理解は、以下の添付図面と併せて詳細な説明を参照することにより導き出すことができ、図面では同様の参照番号は図面全体を通して類似の要素を指す。
【図１】本発明の実施形態による、太陽光発電システムの構成要素を概略的に示す。
【図２】本発明の実施形態による、図１の太陽光発電システムの追加的な構成要素を概略的に示す。
【図３】本発明の実施形態による、太陽光発電システムのための自動電圧調整の方法の流れ図を示す。
【図４】本発明の実施形態による、図２の太陽光発電システムの更なる詳細を概略的に示す。
【発明を実施するための形態】
【０００９】
本開示では、本発明の実施形態を十分に理解いただけるよう、装置、構成要素及び方法の例など、多数の具体的な詳細を提供している。しかしながら、当業者であれば、本発明はこれらの具体的な詳細のうちの１つ以上を欠いても実施できることは理解されよう。他の例では、本発明の態様を不明瞭にすることを避けるため、周知の詳細については図示又は記述していない。
【００１０】
図１は、本発明の実施形態による、太陽光発電システム２００の構成要素を概略的に示す。図１の例に示される太陽光発電システムの構成要素は、複数のコンバイナボックス１１２、複数の太陽電池パネル１１４、及び太陽光発電インバータ１１０を含む。太陽光発電システムは、複数のインバータを含んでもよいが、図示の明瞭化のために、図１には１つのみが示される。太陽電池パネル１１４は、同一のフレーム上に搭載され、電気的に接続された太陽電池を備える。一実施形態では、それぞれの太陽電池パネル１１４は、複数の直列に接続された裏面コンタクト型太陽電池１１５を備える。前面コンタクト型太陽電池も採用できる。図１では、いくつかの裏面コンタクト型太陽電池１１５のみに符号が付されている。
【００１１】
太陽光発電ストリングは、図１のように、複数の直列に接続された太陽電池パネル１１４を備える。一群の太陽電池パネル１１４が、コンバイナボックス１１２に電気的に接続され、ここで太陽電池パネル１１４は直列に接続される。コンバイナボックス１１２は、太陽光発電ストリング内のすべての太陽電池パネル１１４が直列に接続されるように電気的に接続される。太陽光発電ストリングの出力は、太陽電池１１５により生成された直流（ＤＣ）を、例えば、商用電力グリッドへの供給に適した交流（ＡＣ）に変換するインバータ１１０に電気的に接続される。
【００１２】
図２は、本発明の実施形態による太陽光発電システム２００の追加的な構成要素を概略的に示す。図２は、図１と関連して記述されるインバータ１１０を示す。太陽電池パネル１１４は、図示の明瞭化のために図２には示されない。図２の例では、太陽光発電システム２００の構成要素は、太陽光発電サブステーション２１０及びインバータパッド２２０内に設置される。
【００１３】
インバータパッド２２０は、インバータが設置される一般的な領域である。インバータパッド２２０は、典型的にはサブステーション２１０から離れて、電力グリッドとの相互接続点（ＰＯＩ）２０４から遠くに設置される。通信モジュール２０１は、インバータ１１０とサブステーション２１０内に設置された構成要素との間のデータ通信を可能にする。インバータパッド２２０は、インバータ１１０の動作を支援するための、アナログデジタル変換器、デジタルアナログ変換器、及び他の構成要素などの、図２には具体的には示されない追加的な構成要素も含んでもよい。
【００１４】
一実施形態では、太陽光発電システム２００の動作は、中央制御コンピュータとして機能するプラント制御装置２０２により、監視制御データ収集システム（ＳＣＡＤＡ）を使用して制御される。一実施形態では、インバータ１１０、プラント制御装置２０２、及びサブステーションコンピュータ２０３は、Ｍｏｄｂｕｓ  ＴＣＰ／ＩＰ通信プロトコルによって通信する。この実施形態では、通信モジュール２０１は、太陽光発電システム２００の構成要素の間にデータ通信リンクを提供するイーサネット（登録商標）スイッチを備える。監視及び制御は、信号に対して個別の配線を提供するなどにより、アナログ信号方式により実行されてもよい。
【００１５】
図２の例では、インバータパッド２２０内の昇圧変圧器が、インバータ１１０のＡＣ電圧出力を、サブステーション２１０への配電のためのより高い電圧に昇圧する。
【００１６】
サブステーション２１０内の発電機昇圧（ＧＳＵ）変圧器は、インバータパッド２２０から受電したＡＣ電圧を、電力グリッド（図示せず）への配電のためにＰＯＩ２０４に結合される前に更に昇圧する。サブステーションコンピュータ２０３は、サブステーション２１０の制御及び監視を可能にする。サブステーションコンピュータ２０３は、保護回路を制御し、かつＰＯＩ２０４においてメーター２０５により電圧を読み取ることができる。
【００１７】
サブステーション２１０内のプラント制御装置２０２は、ＰＯＩ２０４における（又はその近傍での）電圧の制御を容易にする、専用又は汎用のコンピュータを備えてもよい。以下でより明白になるように、プラント制御装置２０２は、インバータ基準電圧の形式で制御信号を操作することにより、ＰＯＩ２０４における電圧の制御を容易にすることができる。
【００１８】
相互接続点における電圧は、自動電圧調整（ＡＶＲ）により制御することができる。一般的に言って、ＡＶＲは、グリッドへの配電、送電、又は他の電気的接続の相互接続点における電圧を制御するために、インバータにおける無効（又は力率）設定点を操作することにより、太陽光発電システムから送出され／太陽光発電システムへ送入される無効電力の操作を伴ってもよい。ＡＶＲは、太陽光発電システムの動作を、静的ＶＡＲ補償器及び容量性バンクなどの無効電力源と調整させるために採用できる。
【００１９】
ＡＶＲは、変化するグリッド電圧にそれ自体適合することができるが、いくつかの状況では、反応が遅すぎる場合がある。例えば、ＡＶＲ制御装置が大量の無効電力を吸収することにより、グリッド電圧（例えば、グリッドが１．０３ｐｕで、かつＡＶＲ設定点が１．０２ｐｕ）を減少させようとする際に、インバータ端子電圧は、発電所内のＡＣ収集サブシステムのインピーダンスに起因してより低い値（例えば、０．９６ｐｕ）である場合がある。このことにより、インバータ端子電圧は、相互接続点における電圧よりも７％も低くなり得るグリッド電圧がＡＶＲ制御装置の応答時間よりも早く、例えば０．９７ｐｕへ急激に電圧低下し、かつインバータがなお無効電力を吸収している場合、インバータ端子電圧は、非常に低くまで、例えば０．９０ｐｕまで下がり、インバータが典型的には±１０％であり得る狭い動作ウィンドウを有するので、結果としてインバータはトリップして停止することがある。典型的なＡＶＲ実装の遅い応答時間に対処するために、本発明の実施形態では、変化するグリッド条件にインバータが急速に適合できるように、制御信号が生成及び操作される。
【００２０】
図３は、本発明の実施形態による、太陽光発電システムのための自動電圧調整の方法の流れ図を示す。図３の方法は、図示の目的で図２の構成要素を使用して説明される。
【００２１】
図３の例では、プラント制御装置２０２は、ＡＶＲ制御装置として機能する。プラント制御装置２０２は、基準電圧ＶＲＥＦの形式で設定点電圧を受電する。基準電圧ＶＲＥＦを、例えば、ＳＣＡＤＡ源又はデータ処理ゲートウェイから受電してもよい。基準電圧ＶＲＥＦは、ＰＯＩ２０４における、所定の、所望される調整された電圧レベルに対応する。
【００２２】
一実施形態では、インバータ１１０は、インバータパッド２２０のインバータ１１０の端子において提示されるインバータ基準電圧の関数として、無効電力を生成又は吸収する。この能力を有する市販のインバータの例としては、ドイツのＳＭＡ  Ｓｏｌａｒ  Ｔｅｃｈｎｏｌｏｇｙ  ＡＧのものが挙げられる。他の適切なインバータも使用してもよい。ＰＯＩ２０４における電圧が高過ぎる（例えば、閾値電圧より高い）ことに応答してインバータ基準電圧が調節される場合、インバータ１１０は、ＰＯＩ２０４における電圧を下げるために無効電力を吸収することができる。同様に、ＰＯＩ２０４における電圧が低過ぎる（例えば、閾値電圧未満である）ことに応答してインバータ基準電圧が調節される場合、インバータ１１０は、ＰＯＩ２０４における電圧を上げるために無効電力を生成させることができる。インバータ電子機器はこの機能に特に適しており、いくつかの市販のインバータ１１０は、１つ、または僅かなＡＣサイクルと同じぐらい速い応答時間を有する。インバータ１１０の速い応答時間により、インバータ端子電圧は、過渡的なグリッド電圧変化に応答して動作ウィンドウ内に留まることができ、商用電力グリッドがこれを最も必要とする場合に、インバータ１１０に緊急無効電力を更に生成させることができる。
【００２３】
ＡＣ収集システム内のインピーダンスのために、ＰＯＩ２０４における電圧とインバータ１１０の端子における電圧との間に大きな差がある場合がある。すなわち、インバータパッド２２０のインバータ１１０の端子における電圧は、必ずしもＰＯＩ２０４における電圧と同じではない。
【００２４】
一実施形態によると、プラント制御装置２０２は、ＰＯＩ２０４における電圧の読み取り値をメーター２０５から受信する。プラント制御装置２０２は、ＰＯＩ２０４における所望される電圧（Ｖｒｅｆ）とＰＯＩ２０４における実際の電圧（ＶＭＥＴＥＲ）との間の差を示す誤差信号ＶＥＲＲを生成する。誤差信号が補償器４０３に提供され、補償器４０３が誤差信号に基づいてインバータ基準電圧ＶＩＮＶ＿ＲＥＦの形式の制御信号を生成する。補償器４０３は、ＰＯＩ２０４における所望される電圧と実際の電圧との間の誤差を最小化するように、インバータ基準電圧ＶＩＮＶ＿ＲＥＦを調節する。補償器４０３は、インバータ基準電圧ＶＩＮＶ＿ＲＥＦを、最小値（「Ｍｉｎ」）と最大値（「Ｍａｘ」）との間に調節する。一実施形態では、補償器４０３は、比例−積分（ＰＩ）制御スキームを使用して、インバータ基準電圧ＶＩＮＶ＿ＲＥＦを生成する。使用できる他の制御スキームとしては、比例、積分、微分、比例−積分、積分−微分、比例−微分、及び比例−積分−微分が挙げられる。
【００２５】
インバータ基準電圧ＶＩＮＶ＿ＲＥＦは、インバータ１００により受電され、次いでインバータ１００はインバータ基準電圧ＶＩＮＶ＿ＲＥＦの値に基づいて無効電力を生成又は吸収する。フィードバックサイクルは継続され、基準電圧ＶＲＥＦにより示される設定点電圧により規定される調整された電圧以内にＰＯＩ２０４における電圧を維持する。
【００２６】
図４は、本発明の実施形態による、太陽光発電システム２００の更なる詳細を概略的に示す。
【００２７】
図４の例では、機能ブロック４０１〜４０８及び４１０〜４１３は、プラント制御装置２０２により実行される。明らかなように、これらの機能はソフトウェア、ハードウエア、又はハードウエア／ソフトウェアの組み合わせで実施することができる。例えば、プラント制御装置２０２は、アナログ入力の直接測定及び制御、データ通信（例えば、イーサネット（登録商標）ネットワークアダプタ）、データ収集（例えば、信号を受信すること）及び制御（例えば、制御信号を送信すること）、並びに関連するドライバソフトウェアのためのハードウエアインターフェースを有するコンピュータを備えてもよい。プラント制御装置２０２は、その機能を実行するために、アプリケーションソフトウェアと組み合わせて、専用のプロセッサ又はコプロセッサを利用してもよい。プラント制御装置２０２は、静的なＶＡＲ補償器及び容量性のバンクなどの無効電力源と太陽光発電システム２００の動作を、調整するために、他の制御装置とマスタースレーブ構成で使用されてもよい。
【００２８】
図４を参照すると、プラント制御装置２０２は、ＰＯＩ２０４における電圧を設定するための設定点電圧として採用される基準電圧ＶＲＥＦを受電する。加算器４０１は、基準電圧ＶＲＥＦにより示されるＰＯＩ２０４における所望される電圧と、メーター２０５により測定されるＰＯＩ２０４における電圧（ＶＭＥＴＥＲ）との差に基づいて、誤差信号ＶＥＲＲを生成する。
【００２９】
一実施形態では、基準電圧ＶＲＥＦ及びメーター電圧の読み取り値ＶＭＥＴＥＲは、プラント制御装置２０２でデジタル信号として処理される。これらの電圧は、アナログデジタル変換器（ＡＤＣ）を使用してデジタルに変換され、次いで、データ通信ネットワークを通じてプラント制御装置２０２に提供され得る。特定の例として、基準電圧ＶＲＥＦ及びメーター電圧の読み取り値ＶＭＥＴＥＲは、ＭｏｄｂｕｓＴＣＰレジスタによりプラント制御装置２０２に提供されてもよい。プラント制御装置２０２により受信されたコマンド及び入力（基準電圧ＶＲＥＦ及びメーター電圧の読み取り値ＶＭＥＴＥＲを含む）について境界検査が行われ得る。
【００３０】
基準電圧ＶＲＥＦ、メーター電圧の読み取り値ＶＭＥＴＥＲ、及び太陽光発電システムの他の電圧／電流は、太陽光発電システム２００の他の構成に適切な変更を加えることにより他のタイプの信号により示されてもよい。例えば、電圧信号は、電流信号により示されてもよく、また逆でもよい。別の例として、太陽光発電システムの電圧及び電流は、ＲＭＳ（実効値）で示されてもよい。
【００３１】
不感帯機能（ブロック４０２）のアンロードは、用途により有効とされても、されなくてもよい。不感帯機能のアンロードは、インバータ１１０への制御信号を調節せずに、誤差電圧ＶＥＲＲがある範囲内で変化することを可能にする。より具体的には、不感帯機能のアンロードは、グリッド電圧（すなわち、ＰＯＩ２０４における電圧）が境界（典型的には公称値の±１％）内にある場合に、補償器４０３への入力が上下に変化するのを可能にし、インバータ１１０を基準電圧設定に保持し、これによりインバータ１１０は高力率を送出する。換言すれば、グリッド電圧が、例えば±１％以内の場合、補償器４０３への入力は、実際にはちょうどグリッド電圧である。グリッド電圧が不感帯限界以内である場合、これは、インバータ１１０の力率を１に近づけさせる。
【００３２】
一実施形態では、補償器４０３はＰＩ補償器を備える。ＰＩ補償器４０３は、絶対的であることができ、これはインバータ基準電圧ＶＩＮＶ＿ＲＥＦが、誤差信号ＶＥＲＲ及びＰＩ補償器４０３の比例ゲイン（Ｋｐ）及び積分ゲイン（Ｋｉ）に基づいて上下バイアスをかけることを意味する。しかしながら、インバータ基準電圧ＶＩＮＶ＿ＲＥＦは、基準電圧ＶＲＥＦにより固定されたままであってもよい。補償器４０３は、インクリメンタルであってもよい。補償器４０３は、積分飽和現象（ｉｎｔｅｇｒａｌ  ｗｉｎｄｕｐ）保護及び飽和限界を有してもよい。補償器４０３は、グリッド外乱が発生したときにトリガされるステートマシンロジックにより有効化されても、無効化されてもよい。
【００３３】
電圧限界選択機能（ｖｏｌｔａｇｅ  ｌｉｍｉｔ  ｓｅｌｅｃｔ  ｆｕｎｃｔｉｏｎ）（ブロック４０４）は、力率リミッタ（サブループ４３１）及び無効電力リミッタ（サブループ４３２）サブループからの入力に基づいて、補償器４０３のインバータ基準電圧ＶＩＮＶ＿ＲＥＦ出力を低下又は上昇させる。電圧限界選択機能は、インバータ基準電圧ＶＩＮＶ＿ＲＥＦを調節し、これによりインバータ１１０は、力率限界（ＰＦ限界）及び無効電力限界（Ｑ限界）を超える出力を生成しない。
【００３４】
ＰＯＩ２０４においてメーター２０５により測定された力率が、力率限界（ＰＦ限界）に近い、その値である、又は超える場合に、力率リミッタサブループ（サブループ４３１）がインバータ基準電圧ＶＩＮＶ＿ＲＥＦを制限する。メーター２０５からの力率の読み取り値が、力率フィルタ（ＰＦフィルタ）によりフィルタ処理され、次いで力率限界と比較（ブロック４１３）される。ＰＯＩ２０４における力率は、プラントのＡＣ収集システムを通して流れる実際の電力のインピーダンスの変化に起因して、インバータ端子における力率とは必ずしも同一ではないので、力率リミッタサブループは、自身の補償器４１０を有する。補償器４０９は、ＰＩ又は他の制御スキームを採用してもよい。
【００３５】
ＰＯＩ２０４においてメーター２０５により測定された無効電力が、無効電力限界（Ｑ限界）に近い、その値である、又は超える場合に、無効電力リミッタサブループ（サブループ４３２）は、インバータ１１０の無効電力出力を制限する。メーター２０５からの無効電力の読み取り値は、無効電力フィルタ（Ｑフィルタ）によりフィルタ処理され、次いで無効電力限界と比較（ブロック４１２）される。ＰＯＩ２０４における無効電力係数は、プラントのＡＣ収集システムを通して流れる実際の電力のインピーダンスの変化に起因して、インバータ端子における無効電力と必ずしも同一ではないので、無効電力サブループは、自身の補償器４１１を有する。補償器４１０は、ＰＩ又は他の制御スキームを採用してもよい。
【００３６】
全体的な比率限界機能（ｒａｔｅ  ｌｉｍｉｔ  ｆｕｎｃｔｉｏｎ）（ブロック４０５）は、インバータ基準電圧ＶＩＮＶ＿ＲＥＦの変化率を制限する。これは、インバータ基準電圧ＶＩＮＶ＿ＲＥＦの急速かつ急激な変化に対して保護する。
【００３７】
インバータバイアス機能（ブロック４０６）は、個々のインバータ基準電圧を必要に応じて変更することにより、インバータ機能の停止を補償する。インバータバイアス機能は、個々のインバータ基準電圧を、無効電力のバランサー機能（ブロック４０８）により計算されたインバータバイアス値に基づいて、上下バイアスをかけてもよい。無効電力のバランサー機能は、プラント制御装置２０２が通信するすべてのインバータ１１０からの無効電力出力を検査する。特定のインバータ１１０が他のインバータ１１０よりも多くの無効電力を送出／吸収する場合、特定のインバータ１１０のための個々のインバータ基準電圧ＶＩＮＶ＿ＲＥＦは、適宜上下に調節される。無効電力バランサー機能は、インバータ端子から直接インバータ無効電力出力を読み取ってもよい。複数の無効電力フィルタ（Ｑフィルタ）及び無効電力バランサー４０８への無効電力入力があるが、図示の明瞭化のために図４には１セットのみが示される。
【００３８】
インバータバイアス機能は、インバータ機能の停止を検出するために、ハートビート信号をそれぞれのインバータ１１０から定期的に受信してもよい。個々の比率制限機能（ブロック４０７）は、対応するインバータ１１０に提供される前に、それぞれの個々のインバータ基準電圧ＶＩＮＶ＿ＲＥＦに適用される。一実施形態では、インバータ基準電圧ＶＩＮＶ＿ＲＥＦは、対応するインバータ１１０に、ＭｏｄｂｕｓＴＣＰレジスタにより提供される。インバータ基準電圧ＶＩＮＶ＿ＲＥＦは、レジスタから読み取られ、アナログ電圧信号に変換され、これは次いで、インバータ１１０が設置されたインバータパッド２２０においてインバータ１１０の端子に提示される。
【００３９】
太陽光発電システムのための改善された自動電圧調整技法が開示されてきた。本発明の具体的な実施形態を提供したが、これらの実施形態は説明を目的としたものであり、限定的なものでないことは理解されよう。多くの追加的な実施形態が、本開示を読んだ当業者にとっては明らかとなろう。
【００４０】
（項目１）
太陽光発電システムにより生成された電圧を自動的に調整する方法であって、
上記太陽光発電システムにより供給された電圧を電力グリッドとの相互接続点（ＰＯＩ）において測定し、測定グリッド電圧を生成する工程と、
上記測定グリッド電圧を、上記ＰＯＩに関する設定点電圧を示す基準電圧と比較する工程と、
上記測定グリッド電圧の上記基準電圧との上記比較に基づいてインバータ基準電圧を生成する工程と、
上記電力グリッドへ供給するために、上記インバータ基準電圧を、太陽電池により生成された交流を直流に変換する太陽光発電インバータの位置において上記太陽光発電インバータに提示する工程と、
上記測定グリッド電圧の過渡的変化に応答して上記インバータ基準電圧を調節する工程と
を備える方法。
【００４１】
（項目２）
上記インバータ基準電圧が、制御スキームに従って補償器により生成される、項目１に記載の方法。
【００４２】
（項目３）
上記制御スキームが比例−積分補償器を含む、項目２に記載の方法。
【００４３】
（項目４）
上記インバータ基準電圧の変化率を制限する工程を更に備える、項目１に記載の方法。
【００４４】
（項目５）
上記太陽光発電インバータにより生成された無効電力の、上記太陽光発電システム内の他の太陽光発電インバータにより生成された無効電力との比較に基づいて、上記インバータ基準電圧を制限する工程を更に備える、項目１に記載の方法。
【００４５】
（項目６）
上記太陽電池が、太陽電池パネル内に搭載された裏面コンタクト型太陽電池を備える、項目１に記載の方法。
【００４６】
（項目７）
上記インバータ基準電圧が、データ通信ネットワークを通じて送信されるレジスタにより、上記太陽光発電インバータに提供される、項目１に記載の方法。
【００４７】
（項目８）
上記グリッド電圧が閾値電圧よりも高いことを上記測定電圧が示す場合、上記インバータ基準電圧を調節し、上記太陽光発電インバータに無効電力を吸収させる、項目１に記載の方法。
【００４８】
（項目９）
上記グリッド電圧が閾値電圧よりも低いことを上記測定電圧が示す場合、上記インバータ基準電圧を調節し、上記太陽光発電インバータに無効電力を生成させる、項目１に記載の方法。
【００４９】
（項目１０）
太陽光発電システムであって、
複数の太陽電池と、
上記複数の太陽電池により生成された直流を交流に変換する複数の太陽光発電インバータと、
上記太陽光発電システムと電力グリッドとの相互接続点（ＰＯＩ）において測定された測定電圧に基づいてインバータ基準電圧を調節し、かつ上記インバータ基準電圧を上記複数の太陽光発電インバータ内の１つの太陽光発電インバータに提供することにより、上記１つの太陽光発電インバータの無効電力出力を調節し、上記ＰＯＩにおいて変化するグリッド電圧に応答するプラント制御装置と
を備える、太陽光発電システム。
【００５０】
（項目１１）
上記ＰＯＩにおいて上記測定電圧を測定するメーターを更に備える、項目１０に記載の太陽光発電システム。
【００５１】
（項目１２）
上記プラント制御装置と上記複数の太陽光発電インバータとの間のデータ通信リンクを提供する複数のスイッチを更に備える、項目１０に記載の太陽光発電システム。
【００５２】
（項目１３）
上記プラント制御装置が、上記インバータ基準電圧の変化率を制限する、項目１０に記載の太陽光発電システム。
【００５３】
（項目１４）
上記プラント制御装置が、上記インバータ基準電圧をデジタル形式でデータ通信ネットワークを通じて上記１つの太陽光発電インバータに提供する、項目１０に記載の太陽光発電システム。
【００５４】
（項目１５）
上記プラント制御装置が、上記１つの太陽光発電インバータにより生成された無効電力と上記複数の太陽光発電インバータ内の他の太陽光発電インバータにより生成された無効電力との比較に基づいて上記インバータ基準電圧を制限する、項目１０に記載の太陽光発電システム。
【００５５】
（項目１６）
太陽光発電システムにより生成された電圧を自動的に調整する方法であって、
上記太陽光発電システムにより電力グリッドへ提供された電圧を測定し、測定電圧を生成する工程と、
上記測定電圧に基づいて制御信号を生成し、太陽光発電インバータの動作を制御する工程と、
上記測定電圧の変化に応答して上記制御信号を調節し、上記太陽光発電インバータの無効電力出力を調節する工程と
を含む方法。
【００５６】
（項目１７）
上記制御信号を調節する工程が、
上記測定電圧と基準電圧との間の差に基づいて上記制御信号を調節し、上記太陽光発電インバータに無効電力を吸収させる又は送出させる工程を有する、項目１６に記載の方法。
【００５７】
（項目１８）
上記制御信号が、上記太陽光発電インバータの位置において上記太陽光発電インバータに提供される電圧信号を含む、項目１６に記載の方法。
【００５８】
（項目１９）
上記測定電圧が、上記太陽光発電システムの上記電力グリッドとの相互接続点において測定される、項目１６に記載の方法。
【００５９】
（項目２０）
上記太陽光発電インバータが、裏面コンタクト型太陽電池により生成された直流を交流に変換する、項目１６に記載の方法。
【図１】
2014517663.tif 000003
【図２】
2014517663.tif 000004
【図３】
2014517663.tif 000005
【図４】
2014517663.tif 000006
【国際調査報告】
2014517663.tif 000007